(57)【要約】      （修正有）【課題】従来技術より改善された方法で検査室試料容器の開口部を開封するための方法を提供すること。【解決手段】試料１２０を含む検査室試料容器１００の開口部１１０を開封するための方法であって、開口部１１０は、接着部１４０によって検査室試料容器１００に貼り付けられた閉鎖部１３０により密封され、接着部１４０の接着強度は、処理によって下げる（ＡＳ２）ことが可能であり、方法は、ａ）接着部１４０の接着強度（ＡＳ１）を下げる（ＡＳ２）ように、接着部１４０を処理する工程、およびｂ）閉鎖部１３０を検査室試料容器１００から取り外す工程を含む、方法。【選択図】図１
2019207221.tif 000002
【特許請求の範囲】
【請求項１】
試料（１２０）を含む検査室試料容器（１００）の開口部（１１０）を開封するための方法であって、前記開口部（１１０）は、接着部（１４０）によって前記検査室試料容器（１００）に貼り付けられた閉鎖部（１３０）により密封され、前記接着部（１４０）の接着強度（ＡＳ１）は、処理によって下げる（ＡＳ２）ことが可能であり、前記方法は、
ａ）前記接着部（１４０）の接着強度（ＡＳ１）を下げる（ＡＳ２）ように、前記接着部（１４０）を処理する工程、および
ｂ）前記閉鎖部（１３０）を前記検査室試料容器（１００）から取り外す工程
を含む、方法。
【請求項２】
前記接着強度（ＡＳ１）を、放射線処理、特には紫外放射線（ＲＡ）によって、および／または、熱処理によって、特には最小５０℃、特には最小１２０℃の温度（Ｔ）の熱（ＨＥ）によって下げる（ＡＳ２）ことが可能であり、
工程ａ）が、放射線（ＲＡ）、特には紫外放射線（ＲＡ）によって、および／または、熱（ＨＥ）によって、特には最小５０℃、特には最小１２０℃の温度（Ｔ）の熱（ＨＥ）によって、前記接着部（１４０）を処理することを含む、請求項１記載の方法。
【請求項３】
工程ａ）が、
前記接着部（１４０）と前記試料（１２０）との間のライン（ＬＩ）とは異なる方向（ｘ）に沿って、放射線（ＲＡ）を前記接着部（１４０）に露光すること、および／または
前記放射線（ＲＡ）を前記接着部（１４０）に集束させること
を含む、請求項２記載の方法。
【請求項４】
前記接着部（１４０）が、紫外放射線（ＲＡ）に対する反応部位および／または発泡剤を含む、請求項２または３記載の方法。
【請求項５】
工程ｂ）が、
前記閉鎖部（１３０）を前記検査室試料容器（１００）から真空によって吸引すること、および／または
別の接着部（４３）により取り上げ部（４２）を前記閉鎖部（１３０）に貼り付けることと、貼り付けられた前記閉鎖部（１３０）とともに前記取り上げ部（４２）を前記検査室試料容器（１００）から取り外すこと
を含み、
前記別の接着部（４３）の別の接着強度（ＡＳ３）は、前記取り上げ部（４２）と前記貼り付けられた閉鎖部（１３０）との間の別の接着力が、前記閉鎖部（１３０）と前記検査室試料容器（１００）との間の、処理された接着部（１４０）の下げられた接着強度（ＡＳ２）による接着力よりも高くなるようにされている、請求項１〜４のいずれか１項に記載の方法。
【請求項６】
試料（１２０）を含む検査室試料容器（１００）を取り扱う方法であって、前記方法が、
接着部（１４０）によって閉鎖部（１３０）を前記検査室試料容器（１００）に貼り付けることによって、前記検査室試料容器（１００）の開口部（１１０）を密封する工程、および
請求項１〜５のいずれか１項に記載の方法によって前記開口部（１１０）を開封する工程
を含み、
前記接着部（１４０）の接着強度（ＡＳ１）は、処理によって下げる（ＡＳ２）ことが可能である、方法。
【請求項７】
前記接着部（１４０）が、感圧性であり、
前記密封する工程が、前記閉鎖部（１３０）を前記検査室試料容器（１００）に対して押圧することを含む、請求項６記載の方法。
【請求項８】
ローラテープ（１５０、１５１）によって前記閉鎖部（１３０）を供給し、密封するために、前記閉鎖部（１３０）を有する前記ローラテープ（１５０、１５１）を前記検査室試料容器（１００）の開口部（１１０）まで移動させる工程を含む、請求項６または７記載の方法。
【請求項９】
前記密封する工程が、
前記検査室試料容器（１００）に閉鎖部ブランク（１５１）を貼り付けること、および
前記閉鎖部ブランク（１５１）から前記閉鎖部（１３０）を切り出すこと
を含む、請求項６〜８のいずれか１項に記載の方法。
【請求項１０】
試料（１２０）を含む検査室試料容器（１００）の開口部（１１０）を開封するための検査室装置（２０）であって、前記開口部（１１０）は、接着部（１４０）によって前記検査室試料容器（１００）に貼り付けられた閉鎖部（１３０）により密封され、前記接着部（１４０）の接着強度（ＡＳ１）は、処理によって下げる（ＡＳ２）ことが可能であり、前記検査室装置（２０）は、
前記接着部（１４０）の接着強度を下げる（ＡＳ２）ように、前記接着部（１４０）を処理するように構成された処理器（３０）、および
前記検査室試料容器（１００）から前記閉鎖部（１３０）を取り外すように構成された取り外し器（４０）
を備える、検査室装置（２０）。
【請求項１１】
前記接着強度（ＡＳ１）を、放射線処理によって、特には紫外放射線（ＲＡ）によって、および／または、熱処理によって、特には最小５０℃、特には最小１２０℃の温度（Ｔ）の熱（ＨＥ）によって下げる（ＡＳ２）ことが可能であり、
前記処理器（３０）が、放射線（ＲＡ）によって、特には紫外放射線（ＲＡ）によって、および／または、熱（ＨＥ）によって、特には最小５０℃、特には最小１２０℃の温度（Ｔ）の熱（ＨＥ）によって、前記接着部（１４０）を処理するように構成される、
請求項１０記載の検査室装置（４０）。
【請求項１２】
前記取り外し器（４０）が、吸引器（４１）を備え、前記吸引器は、真空により前記検査室試料容器（１００）から前記閉鎖部（１３０）を吸引するように構成され、および／または
前記取り外し器（４０）が、別の接着部（４３）によって、取り上げ部（４２）を前記閉鎖部（１３０）に貼り付け、貼り付けられた閉鎖部（１３０）とともに前記取り上げ部（４２）を前記検査室試料容器（１００）から取り外すように構成され、前記別の接着部（４３）の別の接着強度（ＡＳ３）は、前記取り上げ部（４２）と前記貼り付けられた閉鎖部（１３０）との間の接着力が、前記閉鎖部（１３０）と前記検査室試料容器（１００）との間の、処理された接着部（１４０）の下げられた接着強度（ＡＳ２）による接着力よりも高くなるようにされている、
請求項１０または１１記載の検査室装置（４０）。
【請求項１３】
前記取り外し器（４０）は、少なくとも１つのローラ受けおよび移動装置（６０）を備え、前記ローラ受けおよび移動装置（６０）は、ローラテープ（１６０）によって取り上げ部（４２）を供給し、前記取り上げ部（４２）を有する前記ローラテープ（１６０）を、貼り付けられた閉鎖部（１３０）とともに、前記検査室試料容器（１００）から移動させるように構成される、請求項１２記載の検査室装置（４０）。
【請求項１４】
試料（１２０）を含む検査室試料容器（１００）を取り扱うための検査室オートメーションシステム（１０）であって、前記検査室オートメーションシステム（１０）は、
密封器（７０）、および
請求項１０〜１３のいずれか１項に記載の検査室装置（２０）
を備え、
前記密封器（７０）は、接着部（１４０）によって、閉鎖部（１３０）を前記検査室試料容器（１００）に貼り付けることにより、前記検査室試料容器（１００）の開口部（１１０）を密封するように構成され、前記接着部（１４０）の接着強度（ＡＳ１）は、処理によって下げる（ＡＳ２）ことが可能である、検査室オートメーションシステム（１０）。
【請求項１５】
前記密封器（７０）は、少なくとも１つのローラ受けおよび移動装置（５０）を備え、前記ローラおよび移動装置（５０）は、ローラテープ（１５０、１５１）によって前記閉鎖部（１３０）を供給し、密封のために、前記閉鎖部（１３０）を有する前記ローラテープ（１５０、１５１）を前記検査室試料容器（１００）の前記開口部（１１０）まで移動させるように構成される、請求項１４記載の検査室オートメーションシステム（１０）。
【発明の詳細な説明】
【技術分野】
【０００１】
本発明は、検査室試料容器の開口部を開封するための方法、かかる方法を含む、検査室試料容器を取り扱う方法、検査室試料容器の開口部を開封するための検査室装置、およびかかる検査室装置を備える検査室オートメーションシステムに関する。
【背景技術】
【０００２】
検査室においては、いくつかの種類の検査室ステーションまたは器具のそれぞれ、および／または分析では、検査室試料容器に含まれる試料を処理するために、特には、前処理および／または分析するために、試料管などの検査室試料容器が開封される必要があり得る。
【発明の概要】
【０００３】
本発明は、従来技術より改善された方法で検査室試料容器の開口部を開封するための方法を提供することを目的とする。さらに、本発明は、かかる方法を含む、検査室試料容器を取り扱う方法、検査室試料容器の開口部を開封するための検査室装置、およびかかる検査室装置を備える検査室オートメーションシステムを提供することを目的とする。
【０００４】
これらの目的は、請求項１に係る方法、請求項６に係る方法、請求項１０に係る検査室装置、および請求項１４に係る検査室オートメーションシステムによって解決される。好ましい実施形態が、従属請求項において定義される。
【０００５】
本発明は、試料を含む、または試料を備える検査室試料容器の開口部または口を開封する、特には自動で開封する、または開けるための方法に関する。開口部は、接着部によって検査室試料容器に貼り付けられた、または接着された閉鎖部により密封されるか、または閉鎖される。接着部の接着強度、または剥離接着力は、処理によって、特には、外部処理および／または物理的処理によって、下げるか、または減少させるか、または低下させる、特には、第１の値から第２の値まで、下げるか、または減少させるか、または低下させることができる。この方法は、ａ）接着部の接着強度を下げる、特には、第１の値から第２の値まで下げるように、接着部を処理する、特には、自動で処理する工程、およびｂ）閉鎖部を検査室試料容器から取り外す、特には、自動で取り外す工程を含む。
【０００６】
方法は、ソフトな、または穏やかな方法または手法で、検査室試料容器の開口部を開封することを可能にし、特には、接着部を処理せずに、それにより接着強度を下げずに、しかしながら閉鎖部を検査室試料容器から取り外し、特には、引き離して検査室試料容器の開口部を開封することと比較して、ソフトな、または穏やかな方法または手法で、検査室試料容器の開口部を開封することを可能にする。
【０００７】
特には、方法は、試料の完全性に対する負の影響を軽減または回避することを可能にし得る。方法は、検査室試料容器へ振動または衝撃を加えることを低減または防止することを可能にする。それにより、方法は、試料のこぼれ、特には、検査室試料容器からの試料のこぼれを低減または防止することを可能にし得る。それによって、検査室試料容器および／または試料および／または他の検査室試料容器および／または他の試料および／または検査室装置および／または検査室オートメーションシステムの汚染またはクロス汚染が低減または防止され得る。
【０００８】
さらに、方法は、特に処理方法は、開封後に、接着部の残留物が殆ど残らないか、または全く残らない、特には、検査室試料容器の上に、または検査室試料容器に接着部の残留物が殆ど残らないか、または全く残らないことを可能にし得る。それにより、同じ検査室試料容器の同じ開口部の密封、特には再密封が容易になり得て、特には開閉サイクルの繰り返しが可能になり得る。
【０００９】
さらには、方法は、特に取り外し方法は、検査室試料容器に加わる損傷が殆ど無いか、または損傷が全く無いことを可能にし得る。それにより、同じ検査室試料容器の同じ開口部の密封、特には再密封が容易になり得て、特には開閉サイクルの繰り返しが可能になり得る。
【００１０】
さらに、方法は、開封のために複雑な機構を必要としないことを可能にし得る。
【００１１】
さらに、方法は、高速な開封、特には、検査室試料容器ごとに５秒以下の高速な開封を可能にし得る。
【００１２】
特には、工程ｂ）は、工程ａ）と同時に、および／または工程ａ）の後に実施されてもよい。特には、閉鎖部は、接着部の処理中もしくは接着部の接着強度の低下中、または接着部の処理後もしくは接着部の接着強度の低下後までのそれぞれにおいても、検査室試料容器もしくは検査室試料容器の開口部上に、または検査室試料容器もしくは検査室試料容器の開口部に残されていてもよい。接着部を処理すること、または接着部の接着強度を低下させることは、それぞれ、閉鎖部を解放することとして表され得る。特には、次に、接着強度が低下し、または閉鎖部が解放させられるので、閉鎖部は、特には、容易に検査室試料容器から取り外され得る。検査室試料容器から取り外すことは、検査室試料容器から取り上げるもしくは取り外すこと、または引き離すこととして表され得る。開封することは、脱密封することとして表され得る。付加的に、または代替的に、処理することは、取り外すこととは異なっていてもよい。
【００１３】
試料は、血液試料、血清試料、血漿試料、尿試料、ＣＦＳ試料、身体試料、水試料、化学試料、品質管理（ＱＣ）材料または検量用試料であってもよい。特には、試料は、液体であってもよい。
【００１４】
検査室試料容器は、管として設計されてもよく、上部、上端、および／または端面に開口部を有していてもよい。特には、検査室試料容器は、１つの試料のみを含むように構成されていてもよい。代替的に、または付加的に、検査室試料容器は、マルチウェルプレートとして構成されてもよく、上部端に開口部を有していてもよい。特には、検査室試料容器は、複数の試料を、特には、分離した試料を含むように構成されていてもよい。さらに、検査室試料容器は、ガラス、または透明のおよび／または半透明のおよび／または不透明なプラスチック、特には、ポリプロピレン（ＰＰ）および／またはポリスチレン（ＰＳ）および／またはポリエチレンテレフタレート（ＰＥＴ）または任意のその他の、特には、やや硬質の材料で作製されていてもよい。開口部は、壁の端部および／または検査室試料容器の周縁によって画定されていてもよい。
【００１５】
閉鎖部は、ゴムおよび／またはプラスチックおよび／または金属を含んでいてもよく、完全にゴムおよび／またはプラスチックおよび／または金属からなっていてもよい。特には、閉鎖部の材料は、ポリ塩化ビニル（ＰＶＣ）、ポリオレフィン(ＰＯ)、ポリエチレンテレフタレート（ＰＥＴ）および／またはアルミニウムであってもよい。特には、閉鎖部は、試料反発性、特には、液密性を有していてもよい。閉鎖部は、蒸発、汚染および／または試料の反応および／または試料に影響する可能性のある、特には、前処理および／または分析に影響する可能性のある任意のその他の衝撃に対する保護を可能にし得る。付加的に、または代替的に、閉鎖部は、箔、特には、柔軟な箔もしくはフィルムもしくはテープとして、または蓋、特には、堅い蓋またはプラグとしてそれぞれ具現化されていてもよい。閉鎖部の厚さは、マイクロメートル（μｍ）の範囲内、特には、２０μｍ〜４００μｍの範囲内、特には、５０μｍ〜３００μｍの範囲内、特には、１００μｍ〜２３０μｍの範囲内、特には、１００μｍであってもよい。
【００１６】
閉鎖部は、特には、閉鎖部の表面は、接着部が設けられてもよい。
【００１７】
第２の値、特には、処理後または処理した後の第２の値は、それぞれ、第１の値、特には、処理前または処理する前のそれぞれの第１の値より低くてもよい。特には、接着部は、処理前に、特には検査室試料容器の開口部の密封または閉鎖のために、十分に高い接着強度または十分に高い剥離接着力を有し得るが、それらの接着強度または剥離接着力は、処理と同時に著しく低下され得る。特には、処理前の接着強度、特には、その第１の値は、１０００ミリニュートン（ｍＮ）／２５ミリメートル（ｍｍ）〜少なくとも５００００ｍＮ／２５ｍｍの範囲、特には、１００００ｍＮ／２５ｍｍ〜３００００ｍＮ／２５ｍｍ、特には、１５０００ｍＮ／２５ｍｍ〜２５０００ｍＮ／２５ｍｍの範囲内であってもよい。処理後の接着強度、特には下げられた接着強度、特には、その第２の値は、０ｍＮ／２５ｍｍ〜１０００ｍＮ／２５ｍｍ、特には、５０ｍＮ／２５ｍｍ〜８００ｍＮ／２５ｍｍ、特には、１００ｍＮ／２５ｍｍ〜６００ｍＮ／２５ｍｍの範囲内であってもよい。特には、接着強度またはその値は、それぞれ、取り外しまたは引きはがし角度１８０°および取り外しまたは引きはがし速度３００ｍｍ／分で、被着材としてステンレス鋼上において測定されてもよい。付加的に、または代替的に、接着部の厚さは、マイクロメートル（μｍ）の範囲内、特には、１０μｍ〜３００μｍの範囲内、特には、３０μｍ〜２００μｍの範囲内、特には、７５μｍ〜１３０μｍの範囲内、特には、１３０μｍであってもよい。接着部は、接着剤として表され得る。
【００１８】
特には、接着部を加えた閉鎖部の厚さは、３０μｍ〜７００μｍの範囲内、特には、８０μｍ〜５００μｍの範囲内、特には、１７５μｍ〜３６０μｍの範囲内、特には、２３０μｍであってもよい。
【００１９】
本発明の一実施形態によれば、接着強度は、放射線処理によって、特には、紫外（ＵＶ）放射線によって、および／または熱処理によって、特には、最小５０℃、特には、最小１２０℃、および特には、最高２００℃の温度の熱によって下げることが可能である。工程ａ）は、放射線によって、特には、ＵＶ放射線によって、および／または加熱によって、特には、最小５０℃、特には、最小１２０℃、および特には、最高２００℃の温度の熱によって、接着部を処理することを含む。特には、これは、試料または検査室試料容器の通常の条件ではなくてもよい。それにより、接着部は、不注意に処理され得ない。特には、ＵＶ放射線は、ＵＶ−Ａ放射線、特には、３８０〜３１５ナノメートル（ｎｍ）、特には、３６５ｎｍの波長を有するＵＶ−Ａ放射線であってもよい。ＵＶ−Ａ放射線は、もしあれば、試料のデオキシリボ核酸（ＤＮＡ）に対してほとんど負の影響が少ししか無いか、またはまったく無くすることができる。ＵＶ−Ａ放射線は、１００ミリワット（ｍＷ）／平方センチメートル（ｃｍ2）、特には、１０００ｍＷ／ｃｍ2の強度を有していてもよい。ＵＶ−Ａ放射線は、１００ミリジュール（ｍＪ）／ｃｍ2〜７００ｍＪ／ｃｍ2、特には５００ｍＪ／ｃｍ2の線量を有していてもよい。付加的に、または代替的に、放射線は、レーザ放射線であってもよい。特には、熱処理は、最大６０秒、特には、最大３０秒、特には、最大１０秒、特には、最大５秒、特には、最小１秒で実施されてもよい。それにより、熱処理による試料への負の影響が低減または回避され得る。特には、検査室試料容器は、低い熱伝達率を有していてもよい。それにより、典型的には検査室試料容器の開口部まで完全に満たす必要がない検査室試料容器の開口部から含まれる試料への熱伝達または熱的伝達を低減または回避することができる。これは、局部処理として表され得る。接着部は、放射線感受性接着部および／または感熱性接着部として表され得る。
【００２０】
本発明の一実施形態によれば、工程ａ）は、接着部および／または開口部および／または検査室試料容器の縁部のそれぞれに、接着部と試料との間のラインとは異なる、特には、ラインと垂直な方向に沿って放射線を露光、特には、自動的に露光することを含む。付加的に、または代替的に、工程ａ）は、特には、自動的に影響を与えることができる位相板によって、接着部または開口部または縁部のそれぞれに、放射線を集束させる、特には、自動で集束させることを含む。それにより、典型的には検査室試料容器の開口部まで完全に満たす必要のない試料への放射線処理による負の影響は、低減または回避される。これは、局部処理として表され得る。特には、放射線は、角度をつけて、または下から露光され得る。
【００２１】
本発明の一実施形態によれば、接着部は、ＵＶ放射線に対する反応部位を備える。特には、接着部は、ＵＶ硬化性として表され得る。付加的に、または代替的に、接着部は、アクリル共重合体、光重合開始剤、硬化剤およびＵＶ硬化性オリゴマーを含み、特には、ポリエステル、エポキシまたはウレタンから形成された骨格を有し、または、官能基、特には、ジアクリロウレタンおよび／またはＵＶ硬化性多官能単量体を有する、アクリル共重合体、光重合開始剤、硬化剤およびＵＶ硬化性オリゴマーを含む。特には、かかる接着部の材料は、ＵＶ放射線処理によって架橋し得る。それにより、接着強度は、下げられ、特には、可能性のあるメカニズムとして、体積収縮によって誘発される、接着部と検査室試料容器との間のマイクロボイドの生成によって下げられ得る。付加的に、または代替的に、接着部は、発泡剤、特には、熱膨張性マイクロスフェアを含む。特には、かかる接着部の材料は、熱処理により発泡または膨張し得る。それにより、接着強度は、接着部と検査室試料容器との間で下げられ、特には、接着面積を、特にはその値を減少させることにより下げられ得る。
【００２２】
本発明の一実施形態によれば、工程ｂ）は、真空により、検査室試料容器から閉鎖部を吸引、特には、自動で吸引することを含む。付加的に、または代替的に、工程ｂ）は、別の接着部により取り上げ部を閉鎖部に貼り付けること、特には、自動的に貼り付けることを含む。別の接着部の別の接着強度、特にはその値は、取り上げ部と貼り付けられた閉鎖部との間の別の接着力、特にはその値が、処理された接着部の下げられた接着強度による閉鎖部と検査室試料容器との間の接着力、特にはその値よりも高くなるようにされている。貼り付けられた閉鎖部とともに取り上げ部が検査室試料容器から取り外される。それにより、閉鎖部から取り上げ部を取り外すか、または引き離すために必要な力は、それぞれ、検査室試料容器から閉鎖部を取り外すか、または引き離すために必要な力、特には、接着強度が下げられた後の力よりも高い。特には、必要な力は、特には、その値は、別の接着部の別の接着強度および／または処理された接着部の下げられた接着強度および／または取り上げ部と閉鎖部との間の接着面積、特にはその値および／または閉鎖部と検査室試料容器との間の接着面積、特にはその値および／または閉鎖部の材料特性および／またはジオメトリーおよび／または検査室試料容器の材料特性および／またはジオメトリーに依存し得る。付加的に、または代替的に、別の接着部は、接着部と同じ接着部の種類またはその他であってもよい。付加的に、または代替的に、取り上げ部、特には、取り上げ部の表面には、別の接着部が設けられてもよい。
【００２３】
付加的に、または代替的に、工程ｂ）は、機械装置、特には、機械式グリッパおよび／またはブレードによって、閉鎖部を検査室試料容器から取り外すことを含んでいてもよい。
【００２４】
本発明の一実施形態によれば、方法は、特には、閉鎖部の取り外し後に、および／または、特には、閉鎖部を、特には、接着部を用いて、検査室試料容器に貼り付けることによって、検査室試料容器の開口部を密封する前に、検査室試料容器を、特には、その開口部を前処理する工程を含んでもよい。それにより、特には、検査室試料容器が、低エネルギー材料、特には、ポリプロピレン（ＰＰ）を含むか、またはそれからなる場合に、閉鎖部、特には、貼り付けられた閉鎖部の、検査室試料容器上または検査室試料容器への接着、特には、接着強度または接着力値が、改善され、特には、増加し得る。それにより、密封が気密でなく、特には、液密でなくなり得る危険性が低減または回避され得る。
【００２５】
本発明は、さらに、試料を含む検査室試料容器を取り扱う、特には、自動で取り扱う方法に関する。方法は、接着部によって閉鎖部を検査室試料容器に貼り付けるか、または接着することによって、検査室試料容器の開口部を密封する、特には、自動で密封するか、または閉鎖する工程を含む。接着部の接着強度は、処理によって、下げる、特には、第１の値から第２の値まで下げることが可能である。開口部は、上記の方法によって、特には、密封後に、開封、特には、自動で開封される。
【００２６】
密封することで、検査室試料容器に含まれる試料を備蓄または保管し、および、特には冷却することが可能になる。特には、試料は、最大５℃で、および特には最小マイナス８０℃で、特には最小マイナス３０℃で備蓄または保管され得る。付加的に、または代替的に、密封することで、検査室試料容器に含まれる試料を移動または輸送することができる。さらに、付加的に、または代替的に、方法は、高速な密封を可能にする。
【００２７】
試料、検査室試料容器、閉鎖部および／または接着部は、上記のように具現化され得る。
【００２８】
付加的に、または代替的に、特には、密封前に、検査室試料容器、特には、その開口部は、前処理され、特には、上記のように前処理され得る。
【００２９】
本発明の一実施形態によれば、接着部は、感圧性である。密封することは、閉鎖部を検査室試料容器に対して、特には、閉鎖部と検査室試料容器との間の接着部によって、押圧する、特には、自動で押圧することを含む。
【００３０】
本発明の一実施形態によれば、方法は、ローラテープによって閉鎖部を供給する工程、特には、自動で供給する工程を含む。密封するために、閉鎖部を有するローラテープが検査室試料容器の開口部まで移動、特には、自動で移動される。特には、閉鎖部は、前もって切断されるか、または部分的に前もって切断され、およびローラテープから利用可能であり得る。
【００３１】
本発明の一実施形態によれば、密封することは、閉鎖部ブランクを、特には、もし存在すれば、ローラテープを、検査室試料容器に貼り付け、特には、自動で貼り付けることを含む。閉鎖部ブランク、特には、貼り付けられた閉鎖部ブランクから、特には、もし存在すれば、ローラテープから、閉鎖部が切り出され、特には、自動で切り出される。特には、閉鎖部ブランクは、上記のようにローラテープによって供給されてもよい。付加的に、または代替的に、閉鎖部ブランク、特には、ローラテープは、部分的に前もって切断されるか、または穿孔されてもよい。付加的に、または代替的に、閉鎖部ブランクには、特には、閉鎖部ブランクの表面には、接着部が設けられていてもよい。切り出しは、パンチングまたはレーザ切断を含んでいてもよい。
【００３２】
本発明は、さらに、試料を含む検査室試料容器の開口部を開封するための検査室装置またはデバイスに関する。開口部は、接着部によって検査室試料容器に貼り付けられた閉鎖部により密封される。接着部の接着強度は、処理によって下げることが可能である。検査室装置は、処理器および取り外し器を備える。処理器は、接着部の接着強度を下げるように、接着部を処理するように構成される。取り外し器は、検査室試料容器から閉鎖部を取り外すように構成される。
【００３３】
特には、検査室装置は、上記のような方法、特には、検査室試料容器の開口部を開封するための方法を実施するように構成されてもよい。本発明による方法によって、本発明による方法の利点が、上記のように検査室装置に適用可能になり得る。
【００３４】
さらには、検査室装置は、開封のために複雑な機構を必要としないことを可能にし得る。それによって、検査室装置の保守の労力が低くなり得る。
【００３５】
さらに、検査室装置は、高速開封を可能にし得る。それにより、検査室装置は、高い処理能力、特には、時間当たり１２００までの試料または容器の高い処理能力を可能にし得る。
【００３６】
さらに、検査室装置は、コンパクトなデザインとすることができ、特には、接地面積を小さくすることができる。
【００３７】
さらには、検査室装置、またはその処理器、またはその取り外し器は、それぞれ、ラック上の検査室試料容器間の小さなスペースまたはピッチと適合し得る。
【００３８】
検査室装置は、開封器として表され得る。
【００３９】
付加的に、または代替的に、処理器は、取り外し器とは異なっていてもよい。
【００４０】
本発明の一実施形態によれば、接着強度を、放射線処理、特にはＵＶ放射線によって、および／または熱処理によって、特には最小５０℃、特には最小１２０℃および特には最大２００℃の温度の熱によって下げることが可能である。処理器は、放射線によって、特にはＵＶ放射線によって、および／または熱によって、特には最小５０℃、特には最小１２０℃および特には最大２００℃の温度の熱によって、接着部を処理するように構成される。処理器は、放射線処理器、特にはＵＶ放射線処理器として表され得る。特には、処理器は、放射線源、特には、ＵＶ放射線源を備えていてもよい。付加的に、または代替的に、処理器は、光学素子、特には、接着部と試料との間のラインとは異なる方向に沿って接着部に放射線を露光するための、および／または放射線を接着部に収束させるための光学素子を備えていてもよい。付加的に、または代替的に、処理器は、熱処理器として表され得る。特には、処理器は、熱源を備えていてもよい。
【００４１】
本発明の一実施形態によれば、取り外し器は、吸引器を備える。吸引器は、真空により検査室試料容器から閉鎖部を吸引するように構成される。付加的に、または代替的に、取り外し器は、別の接着部によって、取り上げ部を閉鎖部に貼り付けるように構成される。別の接着部の別の接着強度は、取り上げ部と貼り付けられた閉鎖部との間の接着力が、処理された接着部の下げられた接着強度による、閉鎖部と検査室試料容器との間の接着力よりも高くなるようにされている。さらに、取り外し器は、貼り付けられた閉鎖部とともに取り上げ部を検査室試料容器から取り外すように構成される。特には、吸引器は、真空吸引器として表され得る。吸引器は、真空チャックおよび／または真空源を備えていてもよい。
【００４２】
付加的に、または代替的に、取り外し器は、閉鎖部を検査室試料容器から取り外すための機械装置、特には、機械式グリッパおよび／またはブレードを備えていてもよい。
【００４３】
本発明の一実施形態によれば、取り外し器は、少なくとも１つのローラ受けおよび移動装置（roller receptacle and mover）を備える。ローラ受けおよび移動装置は、ローラテープ、特には、巻取りロールのローラテープによって取り上げ部を供給するように構成される。さらに、ローラ受けおよび移動装置は、貼り付けられた閉鎖部とともに、取り上げ部を有するローラテープを検査室試料容器から移動させるように構成される。
【００４４】
本発明の一実施形態によれば、検査室装置は、前処理器を備えていてもよい。前処理器は、検査室試料容器を、特には、その開口部を前処理するように構成され、特には、閉鎖部を取り外した後に、および／または、特には、閉鎖部を検査室試料容器に、特には、接着部により貼り付けることにより、検査室試料容器の開口部を密封する前に、検査室試料容器を、特には、その開口部を前処理するように構成されていてもよい。
【００４５】
本発明は、さらに、試料を含む検査室試料容器を取り扱うための検査室オートメーションシステムに関する。検査室オートメーションシステムは、密封器と上記のような検査室装置とを含む。密封器は、接着部によって、閉鎖部を検査室試料容器に貼り付けることにより、検査室試料容器の開口部を密封するように構成される。接着部の接着強度は、処理によって下げることが可能である。
【００４６】
特には、検査室オートメーションシステムまたはその密封器は、それぞれ、上記のような方法、特には、検査室試料容器を取り扱う方法、特には、検査室試料容器の開口部を密封するための方法を実施するように構成されていてもよい。本発明に係る方法によって、本発明に係る方法の利点が、上記のように、検査室オートメーションシステムに適用され得る。
【００４７】
さらに、本発明に係る検査室装置によって、本発明に係る検査室装置の利点が、上記のように、検査室オートメーションシステムに適用され得る。
【００４８】
さらに、検査室オートメーションシステムまたはその密封器は、それぞれ、高速な密封を可能にし得る。それによって、検査室オートメーションシステムまたはその密封器は、それぞれ、高い処理能力、特には、時間当たり１５００までの試料または容器の高い処理能力を可能にする。
【００４９】
さらに、検査室オートメーションシステムまたはその密封器は、それぞれ、コンパクトなデザインとすることができ、特には、接地面積を小さくすることができる。
【００５０】
さらに、検査室オートメーションシステムまたはその密封器は、それぞれ、ラック上の検査室試料容器間の小さなスペースまたはピッチと適合し得る。
【００５１】
さらに、密封器は、閉鎖部を検査室試料容器に対して押圧するように構成されていてもよい。特には、密封器は、加圧パッドを備えていてもよい。
【００５２】
付加的に、または代替的に、検査室オートメーションシステムは、前処理器、特には、上述した前処理器を備えていてもよい。前処理器は、検査室試料容器、特には、その開口部を前処理するように構成され、特には、検査室試料容器、特には、その開口部を密封する前に、検査室試料容器、特には、その開口部を前処理するように構成されていてもよい。
【００５３】
本発明の一実施形態によれば、密封器は、少なくとも１つのローラ受けおよび移動装置を、特には、もし存在すれば、取り外し器の少なくとも１つのローラ受けおよび移動装置とは異なり得る少なくとも１つのローラ受けおよび移動装置を備える。ローラ受けおよび移動装置は、ローラテープによって、特には、閉鎖部供給ロールまたは閉鎖部ブランク供給ロールのローラテープによって、閉鎖部を供給するように構成される。さらに、ローラ受けおよび移動装置は、密封のために、閉鎖部とともにローラテープを検査室試料容器の開口部まで移動させるように構成される。特には、密封器は、閉鎖部ブランクを、特には、ローラテープを検査室試料容器に貼り付けるように構成されていてもよい。さらに、密封器は、閉鎖部ブランク、特には、貼り付けられた閉鎖部ブランク、特には、ローラテープから閉鎖部を切り出すように構成されていてもよい。密封器は、貼り付け器および切断器を備えていてもよい。特には、切断器は、切断もしくはピンチブレード、および／またはレーザを備えていてもよい。
【００５４】
検査室装置またはその処理器および／もしくはその取り外し器のそれぞれ、ならびに／または、検査室オートメーションシステムまたはその密封器のそれぞれは、１つ／複数の検査室ステーションとして表され得る。検査室オートメーションシステムは、多数の検査室ステーションを備えていてもよい。多数の検査室ステーションは、分析前、分析中および／または分析後検査室ステーションを備えていてもよい。分析前検査室ステーションは、試料および／または検査室試料容器の任意の種類の前処理を実施するように構成されていてもよい。分析中検査室ステーションは、測定信号を生成するために、試料または試料の一部および試薬を用いるように構成されていてもよく、測定信号は、任意の検体が存在するか否か、および存在する場合の濃度を示す。分析後検査室ステーションは、試料および／または検査室試料容器の任意の種類の後処理を実施するように構成されていてもよい。分析前、分析中および／または分析後検査室ステーションは、分注ステーション、遠心分離ステーション、保管ステーション、ピペットステーション、分類ステーション、管タイプ識別ステーション、試料品質判定ステーション、付加バッファステーション、液量検知ステーション、脱キャップ／再キャップステーション、押圧ステーション、ベルトステーション、搬送システムステーションおよび／またはグリッパステーションのうち少なくとも１つを備えていてもよい。
【００５５】
付加的に、検査室装置および／または検査室オートメーションシステムは、検査室装置および／または検査室オートメーションシステムを制御するための制御デバイスを備えていてもよい。制御デバイスは、集積回路、タブレットコンピュータ、スマートフォンまたはコンピュータであってもよく、またはそれらを備えていてもよい。
【００５６】
前処理工程および／または前処理器は、それぞれ、開封すること、密封すること、検査室装置、検査室オートメーションシステム、密封器、および／または接着部、特には、接着強度が処理によって低減され得る接着部から独立していてもよく、独立した特定事項である。言い換えれば、方法は、試料容器の閉鎖部の試料容器への付着力を高めるために、検査室試料容器、特には、その開口部を前処理する工程を含んでいてもよい。この方法の実施形態によれば、方法は、前処理された検査室試料容器の前処理された開口部を、検査室試料容器に閉鎖部を貼り付けることによって、密封する工程をさらに含んでいてもよく、特には、接着部により、特には、接着強度が処理により低減され得る接着部により検査室試料容器に閉鎖部を貼り付けることによって、前処理された検査室試料容器の前処理された開口部を密封する工程をさらに含んでいてもよい。言い換えれば、保護され得る、または発明的な前処理器は、検査室試料容器、特には、その開口部を前処理するように構成されていてもよい。さらには、検査室オートメーションシステムは、前処理器および密封器を備えていてもよく、密封器は、前処理された検査室試料容器の開口部、特には前処理された開口部を、検査室試料容器に閉鎖部を貼り付けることによって、密封するように構成されていてもよく、特には、接着部により、特には、接着強度が処理により低減され得る接着部により、検査室試料容器に閉鎖部を貼り付けることによって、前処理された検査室試料容器の開口部、特には前処理された開口部を密封するように構成されていてもよい。
【００５７】
それにより、特には、検査室試料容器が、低エネルギー材料、特には、ポリプロピレン（ＰＰ）を含むか、またはそれからなる場合に、閉鎖部、特には、貼り付けられた閉鎖部の、検査室試料容器上または検査室試料容器への接着、特には、接着強度または接着力値が、改善され、特には、増加し得る。それにより、密封が気密でなく、特には、液密でなくなり得る危険性が低減または回避され得る。
【００５８】
特には、前処理することは、検査室試料容器、特には、開口部の縁部の表面自由エネルギー、特には、その値を増加させることを含んでいてもよい。特には、前処理は、ＵＶ放射線、特には、ＵＶＣ放射線による、火炎による、コロナによる、プラズマによる、および／または酸エッチングによる、および／または溶剤系接着促進剤の使用による前処理を含んでいてもよい。言い換えれば、検査室試料容器の表面、または、その縁部のそれぞれは、特には、酸素によって、特には、オゾンによって、官能化されてもよい。
【００５９】
付加的に、または代替的に、前処理することは、検査室試料容器、特には、開口部の縁部の接着面積、特には、その値を増加させることを含んでいてもよい。特には、前処理することは、検査室試料容器、または、その縁部のそれぞれを溶融および／または粗面化することを含んでいてもよい。
【００６０】
付加的に、または代替的に、前処理することは、検査室試料容器、特には、開口部の縁部を洗浄すること、特には、接着部の残留物および／または液体および／または塗料、特には、抗凝固薬から洗浄することを含んでいてもよい。
【００６１】
以下において、本発明の実施形態が、図面を参照して、詳細に説明される。図面を通して、同じ構成要素は、同じ参照番号によって表される。
【図面の簡単な説明】
【００６２】
【図１】本発明に係る検査室試料容器の開口部を開封するための方法を含む、検査室試料容器を取り扱う方法、および検査室試料容器の開口部を開封するための検査室装置を備える検査室試料容器を取り扱うための検査室オートメーションシステムを概略的に示す図である。
【図２】本発明に係る方法の、放射線による処理工程、および本発明に係る検査室装置の、放射線による処理のための処理器を概略的に示す図である。
【図３】本発明に係る方法の、熱による処理工程、および本発明に係る検査室装置の、熱による処理のための処理器を概略的に示す図である。
【図４】本発明に係る方法の、取り外し工程、および本発明に係る検査室装置の取り外し器を概略的に示す図である。
【図５】本発明に係る方法の、検査室試料容器の開口部を密封する工程、および本発明に係る検査室オートメーションシステムの検査室試料容器の開口部を密封するための密封器を概略的に示す図である。
【図６】閉鎖部を有するローラテープを概略的に示す図である。
【図７】本発明に係る方法の、閉鎖部ブランクを検査室試料容器に貼り付ける工程および閉鎖部ブランクから閉鎖部を切り出す工程を含む、検査室試料容器の開口部を密封する工程、ならびに、本発明に係る検査室オートメーションシステムの、閉鎖部ブランクを検査室試料容器に貼り付けて、閉鎖部ブランクから閉鎖部を切り出すことによって、検査室試料容器の開口部を密封するための密封器を概略的に示す図である。
【図８】図７の閉鎖部が切り出される、図７のローラテープを概略的に示す図である。
【発明を実施するための形態】
【００６３】
図１〜４は、試料１２０を含む検査室試料容器１００を取り扱う発明的方法を示す。方法は、試料１２０を含む検査室試料容器１００の開口部１１０を開封するための発明的方法を含む。開口部１１０は、接着部１４０によって検査室試料容器１００に貼り付けられた閉鎖部１３０によって密封される。接着部１４０の接着強度ＡＳ１は、処理によってＡＳ２に下げられ、特には、第１の値ＡＳ１から第２の値ＡＳ２に下げられ得る。方法は、ａ）接着部１４０の接着強度ＡＳ１がＡＳ２に下げられ、特には、第１の値ＡＳ１から第２の値ＡＳ２に下げられるように、接着部１４０を処理する工程、ｂ）閉鎖部１３０を検査室試料容器１００から取り外す工程を含む。
【００６４】
さらに、図１〜４は、試料１２０を含む検査室試料容器１００を取り扱うための発明的検査室オートメーションシステム１０を示す。検査室オートメーションシステム１０は、試料１２０を含む検査室試料容器１００の開口部１１０を開封するための発明的検査室装置２０を含む。開口部１１０は、接着部１４０によって検査室試料容器１００に貼り付けられた閉鎖部１３０によって密封される。接着部１４０の接着強度ＡＳ１は、処理によってＡＳ２に下げられ得る。検査室装置２０は、処理器３０および取り外し器４０を備える。処理器３０は、接着部１４０の接着強度ＡＳ１がＡＳ２に下げられるように、接着部１４０を処理するように構成される。取り外し器４０は、閉鎖部１３０を検査室試料容器１１０から取り外すように構成される。
【００６５】
検査室オートメーションシステム１０は、上記のように、特には、検査室試料容器１００を取り扱う方法を実施するように構成される。検査室装置２０は、上記のように、特には、検査室試料容器１００の開口部１１０を開封するための方法を実施するように構成される。
【００６６】
詳細には、検査室試料容器１００は、管として設計される。特には、直立の検査室試料容器１００は、図４に示されるように、壁の上端に開口部１１０を有する。検査室試料容器１１０には、液状の試料１２０が含まれている。試料１２０は、検査室試料容器１００の開口部１１０まで完全には満たされない。言い換えれば、試料１２０の表面は、開口部１１０から非常に離れている。
【００６７】
図１〜３に示されるように、開口部１１０は、閉鎖部１３０によって密封されている。図示された実施形態では、閉鎖部１３０は、箔として具現化されている。代替的な実施形態では、閉鎖部１３０は、蓋として具現化されてもよい。
【００６８】
図１および２に示される実施形態では、接着部１４０は、ＵＶ放射線に対する反応部位を含む。
【００６９】
接着部１４０の接着強度ＡＳ１は、放射線処理、特には、ＵＶ放射線ＲＡによって、ＡＳ２に下げられ得る。
【００７０】
処理器３０は、放射線ＲＡによって、特には、ＵＶ放射線によって、接着部１４０を処理するように構成される。特には、処理器３０は、放射線源３１、特には、ＵＶ放射線源３１を備える。
【００７１】
工程ａ）は、放射線ＲＡによって、特には、ＵＶ放射線ＲＡによって、特には、処理器３０によって、接着部１４０を処理することを含む。
【００７２】
詳細には、工程ａ）は、図２に示されるように、接着部１４０と試料１２０との間のラインＬＩとは異なる方向ｘ、特にはラインＬＩに対して垂直の方向ｘに沿って、放射線ＲＡを接着部１４０に露光する。
【００７３】
特には、処理器３０は、光学素子３２、特には、接着部１４０と試料１２０との間のラインＬＩとは異なる方向ｘに沿って放射線１４０を接着部１４０に露光するための、および放射線ＲＡを接着部１４０に集束させるための、光学素子３２を備える。
【００７４】
代替的な実施形態では、工程ａ）は、接着部と試料との間のラインとは異なる方向に沿って放射線を接着部に露光すること、または放射線を接着部に集束させることのいずれかを含んでいてもよい。付加的に、または代替的に、代替的な実施形態では、処理器は、光学素子、特には、接着部と試料との間のラインとは異なる方向に沿って放射線を接着部に露光すること、または放射線を接着部に集束させることのいずれかのための、光学素子を備えていてもよい。
【００７５】
図３および４に示される実施形態では、接着部１４０は、発泡剤、特には、熱膨張性マイクロスフェアを含む。
【００７６】
接着部１４０の接着強度ＡＳ１は、熱処理によって、特には最小５０℃の温度Ｔの熱ＨＥによってＡＳ２に下げることが可能である。
【００７７】
処理器３０は、熱ＨＥによって、特には最小５０℃の温度Ｔの熱によって、接着部１４０を処理するように構成される。特には、処理器３０は、熱源を備える。
【００７８】
工程ａ）は、熱ＨＥによって、特には最小５０℃の温度Ｔの熱ＨＥによって、特には処理器３０によって、接着部１４０を処理することを含む。
【００７９】
詳細には、処理器３０は、熱処理のために、接着部１４０と熱接触または熱的接触し、特には、接着部１４０と熱接触または熱的接触させられる。特には、処理器３０は、図３において、閉鎖部１３０に、上部からおよび／または方向ｚに沿って直接接触させられる。代替的な実施形態において、接着部は、熱放射によって、特には、赤外線放射によって、特には、レーザによって処理されてもよい。
【００８０】
図示された実施形態では、閉鎖部１３０は、接着部１４０の処理後、または、接着部１４０の接着強度の低下ＡＳ２後まで、検査室試料容器１００の上に残される。処理後、閉鎖部１３０、特には、解放された閉鎖部１３０は、検査室試料容器１００から容易に取り外され得る。
【００８１】
図１に示された実施形態では、取り外し器４０は、取り上げ部４２を別の接着部４３によって閉鎖部１３０に貼り付けるように構成される。別の接着部４３の別の接着強度ＡＳ３は、取り上げ部４２と貼り付けられた閉鎖部１３０との間の別の接着力が、閉鎖部１３０と検査室試料容器１００との間の、処理された接着部１４０の下げられた接着強度ＡＳ２による接着力よりも高くなるようにされている。さらに、取り外し器４０は、貼り付けられた閉鎖部１３０とともに取り上げ部４２を検査室試料容器１００から取り外すように構成される。
【００８２】
工程ｂ）は、別の接着部４３によって、特には、取り外し器４０によって、取り上げ部４２を閉鎖部１３０に貼り付けることを含む。別の接着部４３の別の接着強度ＡＳ３は、取り上げ部４２と貼り付けられた閉鎖部１３０との間の別の接着力が、閉鎖部１３０と検査室試料容器１００との間の、処理された接着部１４０の下げられた接着強度ＡＳ２による接着力よりも高くなるようにされている。貼り付けられた閉鎖部１３０とともに取り上げ部４２は、検査室試料容器１００から、特には、取り外し器４０によって、取り外される。
【００８３】
取り上げ部４２、特には、取り上げ部４２の表面には、別の接着部４３が設けられる。
【００８４】
特には、別の接着部４３は、感圧性であって、取り上げ部４２は、図１において、矢印で示すように、上部からおよび／または方向ｚに沿って取り上げ部４２を閉鎖部１３０に対して押圧することによって、閉鎖部１３０に貼り付けられる。
【００８５】
詳細には、取り外し器４０は、少なくとも１つのローラ受けおよび移動装置６０を備える。ローラ受けおよび移動装置６０は、ローラテープ１６０によって、特には、巻取りロール１６５のローラテープ１６０によって取り上げ部４２を供給するように構成される。さらに、ローラ受けおよび移動装置６０は、取り上げ部４２を有するローラテープ１６０を、貼り付けられた閉鎖部１３０と共に、検査室試料容器１００から、図１において左から右へ、および／または方向ｘ、ｚに沿って移動させるように構成される。
【００８６】
特には、取り外し器４０は、複数の、特には、３つのローラ受けおよび移動装置６０を備える。１つのローラ受けおよび移動装置６０は、巻取りロール１６５を提供し、図１に矢印で示すように、巻取りロール１６５を回転させ、それによりローラテープ１６０を回転させるように構成される。このローラ受けおよび移動装置６０は、上流側ローラとして表され得る。別のローラ受けおよび移動装置６０は、廃ロール１６６を提供し、廃ロール１６６を回転させ、それによりローラテープ１６０を回転させるように構成される。このローラ受けおよび移動装置６０は、下流側ローラとして表され得る。別のローラ受けおよび移動装置６０は、解放ライナーロール１６７を提供し、解放ライナーロール１６７を回転させ、それにより解放ライナーローラテープ１６８を回転させるように構成される。
【００８７】
解放ライナーローラテープ１６８は、開封前に、ローラテープ１６０およびその取り上げ部４２と、別の接着部４３とを保護し、開封のために、ローラテープ１６０およびその取り上げ部４２と、別の接着部４３とから解放されるように構成される。
【００８８】
さらに、解放ライナーローラテープ１６８は、ポリエステルを含むか、またはポリエステルからなる。
【００８９】
さらに、検査室オートメーションシステム１０またはその検査室装置２０は、それぞれ、ホルダ２００、特には、単一の、または単独の検査室試料容器１００のための単一のホルダの形態で、ホルダ２００を含む。ホルダ２００は、開封のために、処理器３０および／または取り外し器４０に対して整列された、特には、直立位置で整列された検査室試料容器１００またはその開口部１１０を保持するように構成される。詳細には、ホルダ２００は、検査室試料容器１００の周縁で、特には、下部で、検査室試料容器１００を保持し、特には、取り囲むように構成される。
【００９０】
代替的な実施形態では、検査室オートメーションシステムまたはその検査室装置は、それぞれ、２つのホルダ、３つのホルダまたは４つ以上のホルダ、特には、少なくとも１０のホルダ、特には、少なくとも１００のホルダ、特には、少なくとも１０００のホルダを備えていてもよい。付加的に、または代替的に、代替的な実施形態では、検査室オートメーションシステムまたはその検査室装置は、それぞれ、少なくとも１つのラック、特には、５つの検査室試料容器のための少なくとも１つのラックを備えていてもよく、ラックは、開封のために、処理器および／または取り外し器に対して整列された検査室試料容器を保持するように構成されてもよい。
【００９１】
さらに、検査室オートメーションシステム１０またはその検査室装置２０は、それぞれ、移動ユニット２１０を備えていてもよい。移動ユニット２１０は、検査室試料容器１００または保持された検査室試料容器１００を有するホルダ２００をそれぞれ、処理器３０および／または取り外し器４０へ／から、特には、処理器３０および／または取り外し器４０の下に開口部１１０が位置する状態の処理器３０および／または取り外し器４０へ／から、図１において、右から左へおよび／または方向ｘに沿って移動させるように構成される。
【００９２】
図示された実施形態では、移動ユニット２１０は、コンベヤベルトとして具現化される。代替的な実施形態では、移動ユニットは、バンドおよび／または欧州特許出願公開第２９９５９５８号明細書に記載される検査室試料容器分配システムを備えるか、またはバンドおよび／または検査室試料容器分配システムであってもよい。
【００９３】
代替的な実施形態では、検査室オートメーションシステムまたはその検査室装置は、それぞれ、ホルダまたは移動ユニットのいずれかを備えていてもよい。
【００９４】
図４に示された実施形態では、取り外し器４０は、吸引器４１を備えている。吸引器４１は、真空により検査室試料容器１００から閉鎖部１３０を吸引するように構成される。
【００９５】
工程ｂ）は、真空により、特には、取り外し器４０またはその吸引器４１により検査室試料容器１００から閉鎖部１３０を吸引することを含む。
【００９６】
特には、吸引器４１は、真空チャックおよび／または真空源を備えていてもよい。
【００９７】
図３および４に示された実施形態は、また、図１および２の実施形態で示されたホルダおよび／または移動ユニットを備えていてもよい。
【００９８】
図３および４に示された実施形態では、処理器３０、特には、熱処理器の形態の処理器３０、および吸引器４１の形態の取り外し器４０は、それぞれ一体として、または組み合わされて具現化される。代替的な実施形態では、処理器および取り外し器は、互いに分離して具現化されてもよい。
【００９９】
図１に示された実施形態では、処理器３０、特には、放射線処理器の形態の処理器３０、ならびに取り外し器４０、特には、ローラテープ１６０、取り上げ部４２および接着部４３を有する取り外し器４０は、それぞれ一体で、または組み合わされて具現化される。詳細には、ローラテープ１６０、取り上げ部４２および接着部４３は、放射線ＲＡに対して透明である。代替的な実施形態では、処理器および取り外し器は、互いに対して分離して具現化されてもよい。
【０１００】
さらに、代替的な実施形態では、熱処理は、真空による吸引と組み合わされる必要はない。代替的な実施形態では、熱処理は、取り上げ部の貼り付けおよび取り外しと組み合わされてもよい。付加的に、または代替的に、代替的な実施形態では、放射線処理は、取り上げ部の貼り付けおよび取り外しと組み合わされる必要はない。代替的な実施形態では、放射線処理は、真空による吸引と組み合わされてもよい。特には、吸引器は、放射線に対して透明であってもよい。
【０１０１】
上記の１つ／複数の方法、特には、１つ／複数の処理方法では、開封後、接着部の残留物が、特には、検査室試料容器１００上において、ほんの少ししか残らないか、または全く残らないことが可能になる。
【０１０２】
さらに、上記の１つ／複数の方法、特には、１つ／複数の取り外し方法では、検査室試料容器１００に、損傷がほんの少ししか、または全くもたらされないことが可能になる。
【０１０３】
それにより、同じ検査室試料容器１００の同じ開口部１１０の密封、特には、再密封が容易である。
【０１０４】
さらに、試料１２０を含む検査室試料容器１００を取り扱う方法は、特には開封前に、検査室試料容器１００の開口部１１０を密封する工程を含む。密封することは、図５〜８に示されるように、接着部１４０によって閉鎖部１３０を検査室試料容器１００に貼り付けることを含む。接着部１４０の接着強度ＡＳ１は、処理によってＡＳ２に、特には、第１の値ＡＳ１から第２の値ＡＳ２に下げることが可能である。
【０１０５】
さらに、試料１２０を含む検査室試料容器１００を取り扱う検査室オートメーションシステム１０は、図５〜８に示すように、密封器７０を備える。密封器７０は、接着部１４０によって、閉鎖部１３０を検査室試料容器１００に貼り付けることにより、検査室試料容器１００の開口部１１０を密封するように構成される。接着部１４０の接着強度ＡＳ１は、処理によってＡＳ２に下げることが可能である
【０１０６】
検査室オートメーションシステム１０またはその密封器７０は、上記のように、方法を実施するように、特には、検査室試料容器１００の開口部１１０を密封するための方法を実施するように構成される。
【０１０７】
閉鎖部１３０、特には、閉鎖部１３０の表面には、接着部１４０が設けられる。
【０１０８】
詳細には、接着部１４０は、感圧性である。
【０１０９】
密封器７０は、図５および７において、上部からおよび／または矢印で示された方向ｚに沿って、閉鎖部１３０を検査室試料容器１００に対して押圧するように構成される。特には、密封器７０は、加圧パッド７１を備える。
【０１１０】
密封することは、特には、閉鎖部１３０と検査室試料容器１００との間で、接着部１４０を用いて、特には、密封器７０またはその加圧パッド７１によって、閉鎖部１３０を検査室試料容器１００に対して押圧することを含む。
【０１１１】
密封器７０は、少なくとも１つのローラ受けおよび移動装置５０を備える。ローラ受けおよび移動装置５０は、ローラテープ１５０、１５１によって、特には、閉鎖部供給ロール１５５または閉鎖部ブランク供給ロールそれぞれのローラテープ１５０、１５１によって、閉鎖部１３０を供給するように構成される。さらに、ローラ受けおよび移動装置５０は、閉鎖部１３０を有するローラテープ１５０、１５１を、密封のために、図５および７において、左から右へ、および／または方向ｘ、ｚに沿って、検査室試料容器１００の開口部１１０まで移動させるように構成される。
【０１１２】
方法は、ローラテープ１５０、１５１によって、特には、少なくとも１つのローラ受けおよび移動装置５０によって、閉鎖部１３０を供給する工程を含む。閉鎖部１３０を有するローラテープ１５０、１５１が、密封のために、特には、少なくとも１つのローラ受けおよび移動装置５０によって、検査室試料容器１００の開口部１１０まで移動させられる。
【０１１３】
特には、密封器７０は、複数の、特には、３つのローラ受けおよび移動装置５０を備える。１つのローラ受けおよび移動装置５０は、閉鎖部供給ロール１５５および／または閉鎖部ブランク供給ロールを提供し、図５および７に矢印で示されるように、閉鎖部供給ロール１５５および／または閉鎖部ブランク供給ロールを回転させ、それによりローラテープ１５０、１５１を回転させるように構成される。このローラ受けおよび移動装置５０は、上流側ローラとして表され得る。別のローラ受けおよび移動装置５０は、キャリアロールおよび／または廃ロール１５６を提供し、キャリアロールおよび／または廃ロール１５６を回転させ、それによりローラテープ１５０、１５１を回転させるように構成される。このローラ受けおよび移動装置５０は、下流側ローラとして表され得る。別のローラ受けおよび移動装置５０は、解放ライナーロール１５７を提供し、解放ライナーロール１５７を回転させ、それにより解放ライナーローラテープ１５８を回転させるように構成される。
【０１１４】
解放ライナーローラテープ１５８は、密封前に、ローラテープ１５０、１５１、および特には、その閉鎖部１３０を保護し、密封のために、ローラテープ１５０、１５１、および特には、その閉鎖部１３０から解放されるように構成される。
【０１１５】
さらに、解放ライナーローラテープ１５８は、ポリエステルを含むか、またはポリエステルからなる。
【０１１６】
さらに、検査室オートメーションシステム１０またはその密封器７０は、それぞれ、ホルダ２００、特には、単一の、または単独の検査室試料容器１００のための単一のホルダの形態で、ホルダ２００を含む。ホルダ２００は、密封のために、密封器７０に対して整列された、特には、直立位置で整列された検査室試料容器１００またはその開口部１１０をそれぞれ保持するように構成される。
【０１１７】
詳細には、ホルダ２００は、図１に示された実施形態のために上記されたホルダ２００として具現化されるか、または具現化されてもよい。
【０１１８】
付加的に、または代替的に、代替的な実施形態では、検査室オートメーションシステムまたはその密封器は、それぞれ、少なくとも１つのラック、特には、５つの検査室試料容器のための少なくとも１つのラックを備えていてもよく、ラックは、密封のために、密封器に対して整列された１つ／複数の検査室試料容器を保持するように構成されてもよい。
【０１１９】
さらに、検査室オートメーションシステム１０またはその密封器７０は、それぞれ、移動ユニット２１０を備える。移動ユニット２１０は、検査室試料容器１００または保持された検査室試料容器１００を有するホルダ２００をそれぞれ、密封器７０へ／から、特には、密封器の下に開口部１１０が位置する状態の密封器７０へ／から、図５および７において右から左へおよび／または方向ｘに沿って移動させるように構成される。
【０１２０】
詳細には、移動ユニット２１０は、図１に示された実施形態のために上記された移動ユニット２１０として具現化されるか、または具現化されてもよい。
【０１２１】
代替的な実施形態では、検査室オートメーションシステムまたはその密封器は、それぞれ、ホルダまたは移動ユニットのいずれかを備えていてもよい。
【０１２２】
図５および６に示された実施形態では、閉鎖部１３０は、ローラテープ１５０、特には、閉鎖部供給ロール１５５のローラテープ１５０から、予めカットされ、利用可能である。
【０１２３】
図７および８に示された実施形態では、密封器７０は、図７において、上部からおよび／または矢印で示される方向ｚに沿って、閉鎖部ブランク１５１、特にはローラテープ１５１を検査室試料容器１００に貼り付けるように構成される。さらに、密封器７０は、閉鎖部ブランク１５１、特には、貼り付けられた閉鎖部ブランク１５１、特にはローラテープ１５１から閉鎖部１３０を切り出すように構成される。
【０１２４】
特には、密封器７０は、貼付器７１、特には、加圧パッドの形態の貼付器７１、および切断器７２、特には、ブレード７２の形態の切断器７２を含む。図７および８に示された実施形態では、貼付器７１および切断器７２は、それぞれ、一体として、または組み合わせとして具現化される。代替的な実施形態では、貼付器および切断器は、互いに分離されて具現化されてもよい。
【０１２５】
密封することは、閉鎖部ブランク１５１、特にはローラテープ１５１を、検査室試料容器１００に、特には、密封器７０またはその貼付器７１によって、貼り付けることを含む。閉鎖部１３０は、閉鎖部ブランク１５１、特には、貼り付けられた閉鎖部ブランク１５１、特にはローラテープ１５１から、特には、密封器７０またはその切断器７２によって切り出される。
【０１２６】
閉鎖部ブランク１５１、特には、閉鎖部ブランク１５１の表面には、接着部１４０が設けられる。
【０１２７】
詳細には、閉鎖部ブランク１５１は、ローラテープ１５１によって、特には、図５に示された実施形態に関して上記されたように、供給されてもよい。
【０１２８】
特には、検査室試料容器１００の開口部１１０を覆う、ローラテープ１５１の一部が、円筒ブレードの形態の切断器７２によって、ローラテープ１５１から切り出される。切り出された後、ローラテープ１５１は、図８に示されるように、まだ接続されており、特には、閉鎖部ブランク供給ロールと廃ロールとの間で、まだ接続されている。
【０１２９】
検査室装置２０またはその処理器３０および／もしくはその取り外し器４０のそれぞれ、ならびに／または、検査室オートメーションシステム１０またはその密封器７０のそれぞれは、１つ／複数の検査室ステーションとして表され得る。その範囲を超えて、検査室オートメーションシステムは、多数の他の検査室ステーションを備えていてもよい。移動ユニット２１０は、検査室ステーション間で検査室試料容器１００を移動させるように構成されるか、または構成されてもよい。
【０１３０】
図示され、上述された実施形態が示すように、本発明は、検査室試料容器の開口部を開封するための方法を、従来技術よりも改善された方法で、特には、ソフトな方法で提供する。さらに本発明は、かかる方法を含む、検査室試料容器を取り扱うための方法、検査室試料容器の開口部を開封するための検査室装置、および、かかる検査室装置を備える検査室オートメーションシステムを提供する。
【図１】
2019207221.tif 000003
【図２】
2019207221.tif 000004
【図３】
2019207221.tif 000005
【図４】
2019207221.tif 000006
【図５】
2019207221.tif 000007
【図６】
2019207221.tif 000008
【図７】
2019207221.tif 000009
【図８】
2019207221.tif 000010
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
試料（１２０）を含む検査室試料容器（１００）の開口部（１１０）を開封するための方法であって、前記開口部（１１０）は、接着部（１４０）によって前記検査室試料容器（１００）に貼り付けられた閉鎖部（１３０）により密封され、前記接着部（１４０）の接着強度（ＡＳ１）は、処理によって下げる（ＡＳ２）ことが可能であり、前記方法は、
ａ）前記接着部（１４０）の接着強度（ＡＳ１）を下げる（ＡＳ２）ように、前記接着部（１４０）を処理する工程、および
ｂ）前記閉鎖部（１３０）を前記検査室試料容器（１００）から取り外す工程
を含む、方法。
【請求項２】
前記接着強度（ＡＳ１）を、放射線処理、および／または、熱処理によって、下げる（ＡＳ２）ことが可能であり、
工程ａ）が、放射線（ＲＡ）によって、および／または、熱（ＨＥ）によって、前記接着部（１４０）を処理することを含む、請求項１記載の方法。
【請求項３】
前記接着強度（ＡＳ１）を、紫外放射線（ＲＡ）によって、および／または、最小５０℃の温度（Ｔ）の熱（ＨＥ）によって、下げる（ＡＳ２）ことが可能であり、
工程ａ）が、紫外放射線（ＲＡ）によって、および／または、最小５０℃の温度（Ｔ）の熱（ＨＥ）によって、前記接着部（１４０）を処理することを含む、請求項１記載の方法。
【請求項４】
前記接着強度（ＡＳ１）を、紫外放射線（ＲＡ）によって、および／または、最小１２０℃の温度（Ｔ）の熱（ＨＥ）によって、下げる（ＡＳ２）ことが可能であり、
工程ａ）が、紫外放射線（ＲＡ）によって、および／または、最小１２０℃の温度（Ｔ）の熱（ＨＥ）によって、前記接着部（１４０）を処理することを含む、請求項１記載の方法。
【請求項５】
工程ａ）が、
前記接着部（１４０）と前記試料（１２０）との間のライン（ＬＩ）とは異なる方向（ｘ）に沿って、放射線（ＲＡ）を前記接着部（１４０）に露光すること、および／または
前記放射線（ＲＡ）を前記接着部（１４０）に集束させること
を含む、請求項２〜４のいずれか１項に記載の方法。
【請求項６】
前記接着部（１４０）が、紫外放射線（ＲＡ）に対する反応部位および／または発泡剤を含む、請求項２〜５のいずれか１項に記載の方法。
【請求項７】
工程ｂ）が、
前記閉鎖部（１３０）を前記検査室試料容器（１００）から真空によって吸引すること、および／または
別の接着部（４３）により取り上げ部（４２）を前記閉鎖部（１３０）に貼り付けることと、貼り付けられた前記閉鎖部（１３０）とともに前記取り上げ部（４２）を前記検査室試料容器（１００）から取り外すこと
を含み、
前記別の接着部（４３）の別の接着強度（ＡＳ３）は、前記取り上げ部（４２）と前記貼り付けられた閉鎖部（１３０）との間の別の接着力が、前記閉鎖部（１３０）と前記検査室試料容器（１００）との間の、処理された接着部（１４０）の下げられた接着強度（ＡＳ２）による接着力よりも高くなるようにされている、請求項１〜６のいずれか１項に記載の方法。
【請求項８】
試料（１２０）を含む検査室試料容器（１００）を取り扱う方法であって、前記方法が、
接着部（１４０）によって閉鎖部（１３０）を前記検査室試料容器（１００）に貼り付けることによって、前記検査室試料容器（１００）の開口部（１１０）を密封する工程、および
請求項１〜７のいずれか１項に記載の方法によって前記開口部（１１０）を開封する工程
を含み、
前記接着部（１４０）の接着強度（ＡＳ１）は、処理によって下げる（ＡＳ２）ことが可能である、方法。
【請求項９】
前記接着部（１４０）が、感圧性であり、
前記密封する工程が、前記閉鎖部（１３０）を前記検査室試料容器（１００）に対して押圧することを含む、請求項８記載の方法。
【請求項１０】
ローラテープ（１５０、１５１）によって前記閉鎖部（１３０）を供給し、密封するために、前記閉鎖部（１３０）を有する前記ローラテープ（１５０、１５１）を前記検査室試料容器（１００）の開口部（１１０）まで移動させる工程を含む、請求項８または９記載の方法。
【請求項１１】
前記密封する工程が、
前記検査室試料容器（１００）に閉鎖部ブランク（１５１）を貼り付けること、および
前記閉鎖部ブランク（１５１）から前記閉鎖部（１３０）を切り出すこと
を含む、請求項８〜１０のいずれか１項に記載の方法。
【請求項１２】
試料（１２０）を含む検査室試料容器（１００）の開口部（１１０）を開封するための検査室装置（２０）であって、前記開口部（１１０）は、接着部（１４０）によって前記検査室試料容器（１００）に貼り付けられた閉鎖部（１３０）により密封され、前記接着部（１４０）の接着強度（ＡＳ１）は、処理によって下げる（ＡＳ２）ことが可能であり、前記検査室装置（２０）は、
前記接着部（１４０）の接着強度を下げる（ＡＳ２）ように、前記接着部（１４０）を処理するように構成された処理器（３０）、および
前記検査室試料容器（１００）から前記閉鎖部（１３０）を取り外すように構成された取り外し器（４０）
を備える、検査室装置（２０）。
【請求項１３】
前記接着強度（ＡＳ１）を、放射線処理によって、および／または、熱処理によって、下げる（ＡＳ２）ことが可能であり、
前記処理器（３０）が、放射線（ＲＡ）によって、および／または、熱（ＨＥ）によって、前記接着部（１４０）を処理するように構成される、
請求項１２記載の検査室装置（４０）。
【請求項１４】
前記接着強度（ＡＳ１）を、紫外放射線（ＲＡ）によって、および／または、最小５０℃の温度（Ｔ）の熱（ＨＥ）によって、下げる（ＡＳ２）ことが可能であり、
前記処理器（３０）が、紫外放射線（ＲＡ）によって、および／または、最小５０℃の温度（Ｔ）の熱（ＨＥ）によって、前記接着部（１４０）を処理するように構成される、
請求項１２記載の検査室装置（４０）。
【請求項１５】
前記接着強度（ＡＳ１）を、紫外放射線（ＲＡ）によって、および／または、最小１２０℃の温度（Ｔ）の熱（ＨＥ）によって、下げる（ＡＳ２）ことが可能であり、
前記処理器（３０）が、紫外放射線（ＲＡ）によって、および／または、最小１２０℃の温度（Ｔ）の熱（ＨＥ）によって、前記接着部（１４０）を処理するように構成される、
請求項１２記載の検査室装置（４０）。
【請求項１６】
前記取り外し器（４０）が、吸引器（４１）を備え、前記吸引器は、真空により前記検査室試料容器（１００）から前記閉鎖部（１３０）を吸引するように構成され、および／または
前記取り外し器（４０）が、別の接着部（４３）によって、取り上げ部（４２）を前記閉鎖部（１３０）に貼り付け、貼り付けられた閉鎖部（１３０）とともに前記取り上げ部（４２）を前記検査室試料容器（１００）から取り外すように構成され、前記別の接着部（４３）の別の接着強度（ＡＳ３）は、前記取り上げ部（４２）と前記貼り付けられた閉鎖部（１３０）との間の接着力が、前記閉鎖部（１３０）と前記検査室試料容器（１００）との間の、処理された接着部（１４０）の下げられた接着強度（ＡＳ２）による接着力よりも高くなるようにされている、
請求項１２〜１５のいずれか１項に記載の検査室装置（４０）。
【請求項１７】
前記取り外し器（４０）は、少なくとも１つのローラ受けおよび移動装置（６０）を備え、前記ローラ受けおよび移動装置（６０）は、ローラテープ（１６０）によって取り上げ部（４２）を供給し、前記取り上げ部（４２）を有する前記ローラテープ（１６０）を、貼り付けられた閉鎖部（１３０）とともに、前記検査室試料容器（１００）から移動させるように構成される、請求項１６記載の検査室装置（４０）。
【請求項１８】
試料（１２０）を含む検査室試料容器（１００）を取り扱うための検査室オートメーションシステム（１０）であって、前記検査室オートメーションシステム（１０）は、
密封器（７０）、および
請求項１２〜１７のいずれか１項に記載の検査室装置（２０）
を備え、
前記密封器（７０）は、接着部（１４０）によって、閉鎖部（１３０）を前記検査室試料容器（１００）に貼り付けることにより、前記検査室試料容器（１００）の開口部（１１０）を密封するように構成され、前記接着部（１４０）の接着強度（ＡＳ１）は、処理によって下げる（ＡＳ２）ことが可能である、検査室オートメーションシステム（１０）。
【請求項１９】
前記密封器（７０）は、少なくとも１つのローラ受けおよび移動装置（５０）を備え、前記ローラおよび移動装置（５０）は、ローラテープ（１５０、１５１）によって前記閉鎖部（１３０）を供給し、密封のために、前記閉鎖部（１３０）を有する前記ローラテープ（１５０、１５１）を前記検査室試料容器（１００）の前記開口部（１１０）まで移動させるように構成される、請求項１８記載の検査室オートメーションシステム（１０）。
【手続補正２】
【補正対象書類名】明細書
【補正対象項目名】００６４
【補正方法】変更
【補正の内容】
【００６４】
さらに、図１〜４は、試料１２０を含む検査室試料容器１００を取り扱うための発明的検査室オートメーションシステム１０を示す。検査室オートメーションシステム１０は、試料１２０を含む検査室試料容器１００の開口部１１０を開封するための発明的検査室装置２０を含む。開口部１１０は、接着部１４０によって検査室試料容器１００に貼り付けられた閉鎖部１３０によって密封される。接着部１４０の接着強度ＡＳ１は、処理によってＡＳ２に下げられ得る。検査室装置２０は、処理器３０および取り外し器４０を備える。処理器３０は、接着部１４０の接着強度ＡＳ１がＡＳ２に下げられるように、接着部１４０を処理するように構成される。取り外し器４０は、閉鎖部１３０を検査室試料容器１００から取り外すように構成される。
【手続補正３】
【補正対象書類名】明細書
【補正対象項目名】００６６
【補正方法】変更
【補正の内容】
【００６６】
詳細には、検査室試料容器１００は、管として設計される。特には、直立の検査室試料容器１００は、図４に示されるように、壁の上端に開口部１１０を有する。検査室試料容器１００には、液状の試料１２０が含まれている。試料１２０は、検査室試料容器１００の開口部１１０まで完全には満たされない。言い換えれば、試料１２０の表面は、開口部１１０から非常に離れている。
【手続補正４】
【補正対象書類名】明細書
【補正対象項目名】００７３
【補正方法】変更
【補正の内容】
【００７３】
特には、処理器３０は、光学素子３２、特には、接着部１４０と試料１２０との間のラインＬＩとは異なる方向ｘに沿って放射線ＲＡを接着部１４０に露光するための、および放射線ＲＡを接着部１４０に集束させるための、光学素子３２を備える。
【外国語明細書】
2019207221000001.pdf
2019207221000002.pdf
2019207221000003.pdf
2019207221000004.pdf